(57)【要約】【課題】金型内の樹脂の流動及び冷却時間を均一化することができ、回転バランスを保持することができるシロッコファンを提供する。【解決手段】モータ軸と一体回転可能に結合されるボス部３と、このボス部３の周囲に放射状に形成され空気流れを案内する風ガイド部５と、この風ガイド部５の外周にモータ軸の軸方向に立設された複数のブレード７とを備え、樹脂成型によって形成されるシロッコファン１において、ボス部３と風ガイド部５との間に、ボス部３の外面９と風ガイド部５のボス部３側の外面１１とを面一に連結する平面部１３を設け、平面部１３の内面に、ボス部３と風ガイド部５とを連結するリブ１５を設け、ボス部３と風ガイド部５と平面部１３とリブ１５との肉厚を、均一に設定した。【選択図】図１
2017008880.tif 000002
【特許請求の範囲】
【請求項１】
モータ軸と一体回転可能に結合されるボス部（３）と、このボス部（３）の周囲に放射状に形成され空気流れを案内する風ガイド部（５）と、この風ガイド部（５）の外周に前記モータ軸の軸方向に立設された複数のブレード（７）とを備え、樹脂成型によって形成されるシロッコファンであって、
前記ボス部（３）と前記風ガイド部（５）との間には、前記ボス部（３）の外面（９）と前記風ガイド部（５）の前記ボス部（３）側の外面（１１）とを面一に連結する平面部（１３）が設けられ、
前記平面部（１３）の内面には、前記ボス部（３）と前記風ガイド部（５）とを連結するリブ（１５）が設けられ、
前記ボス部（３）と前記風ガイド部（５）と前記平面部（１３）と前記リブ（１５）とは、肉厚が均一に設定されていることを特徴とするシロッコファン。
【請求項２】
請求項１記載のシロッコファンであって、
前記リブ（１５）は、前記ボス部（３）と前記風ガイド部（５）との間に放射状に延びて複数設けられ、
隣り合う前記リブ（１５，１５）間には、前記樹脂成型時に樹脂が射出されるゲート口（２１）が配置されることを特徴とするシロッコファン。
【発明の詳細な説明】
【技術分野】
【０００１】
本発明は、車両用空調装置に適用されるシロッコファンに関する。
【背景技術】
【０００２】
従来、シロッコファンとしては、モータ軸と一体回転可能に結合されるボス部と、このボス部の周囲に放射状に形成され空気流れを案内する風ガイド部としての主板と、この主板の外周にモータ軸の軸方向に立設された複数のブレードとを備え、樹脂成型によって形成されるものが知られている（例えば、特許文献１参照）。
【０００３】
このシロッコファンでは、ボス部の外面のうちモータ軸の軸方向に位置する上面が、主板の上面より突出するように、主板のボス部側の外面が、ボス部の外面のうちモータ軸の軸方向と直交する方向に位置する側面に連結されている。
【先行技術文献】
【特許文献】
【０００４】
【特許文献１】特開２００８−２１５３２４号公報
【発明の概要】
【発明が解決しようとする課題】
【０００５】
ところで、上記特許文献１のように、ボス部の外面が風ガイド部の外面より突出されている場合、樹脂成型の際に用いられる金型において、ボス部の突出した部分を成型する部分が設けられており、この部分に樹脂を流動させなければならない。
【０００６】
しかしながら、金型におけるボス部の突出した部分を成型する部分は、樹脂が流動する際に行き止まりとなっているので、金型内に円滑に樹脂を流動させるために、この部分にガス抜き穴を設けなければならない。
【０００７】
加えて、ボス部の突出した部分を成型する部分に、他の部分と肉厚が均一となるように、かつ樹脂の冷却時間を等しくさせることが難しく、成形時の収縮により肉厚に不均一な部分が発生し、シロッコファンの回転バランスが悪化する恐れがあった。
【０００８】
そこで、この発明は、金型内の樹脂の流動及び冷却時間を均一化することができ、回転バランスを保持することができるシロッコファンの提供を目的としている。
【課題を解決するための手段】
【０００９】
本発明は、モータ軸と一体回転可能に結合されるボス部と、このボス部の周囲に放射状に形成され空気流れを案内する風ガイド部と、この風ガイド部の外周に前記モータ軸の軸方向に立設された複数のブレードとを備え、樹脂成型によって形成されるシロッコファンであって、前記ボス部と前記風ガイド部との間には、前記ボス部の外面と前記風ガイド部の前記ボス部側の外面とを面一に連結する平面部が設けられ、前記平面部の内面には、前記ボス部と前記風ガイド部とを連結するリブが設けられ、前記ボス部と前記風ガイド部と前記平面部と前記リブとは、肉厚が均一に設定されていることを特徴とする。
【発明の効果】
【００１０】
本発明によれば、金型内の樹脂の流動及び冷却時間を均一化することができ、回転バランスを保持することができるシロッコファンを提供することができるという効果を奏する。
【図面の簡単な説明】
【００１１】
【図１】本発明の実施の形態に係るシロッコファンの断面図である。
【図２】本発明の実施の形態に係るシロッコファンの上面図である。
【発明を実施するための形態】
【００１２】
図１，図２を用いて本発明の実施の形態に係るシロッコファンについて説明する。なお、図１は、図２における周方向で１８０°対向するゲート口２１，２１間で切断した断面図となっている。
【００１３】
本実施の形態に係るシロッコファン１は、モータ軸と一体回転可能に結合されるボス部３と、このボス部３の周囲に放射状に形成され空気流れを案内する風ガイド部５と、この風ガイド部５の外周にモータ軸の軸方向に立設された複数のブレード７とを備え、樹脂成型によって形成される。
【００１４】
そして、ボス部３と風ガイド部５との間には、ボス部３の外面９と風ガイド部５のボス部３側の外面１１とを面一に連結する平面部１３が設けられ、平面部１３の内面には、ボス部３と風ガイド部５とを連結するリブ１５が設けられ、ボス部３と風ガイド部５と平面部１３とリブ１５とは、肉厚が均一に設定されている。
【００１５】
また、リブ１５は、ボス部３と風ガイド部５との間に放射状に延びて複数設けられ、隣り合うリブ１５，１５間には、樹脂成型時に樹脂が射出されるゲート口２１が配置される。
【００１６】
図１，図２に示すように、ボス部３は、合成樹脂からなり、円筒状に形成され、中央部に電動モータのモータ軸（不図示）が挿通される軸孔１７が形成されている。
【００１７】
このボス部３は、モータ軸の端部が軸孔１７に挿通され、軸孔１７を挿通したモータ軸の端部にボス部３の外面９に配置されるナット１９がねじ締結されることにより、モータ軸と一体回転可能に結合される。
【００１８】
このようなボス部３の周囲には、モータ軸の回転により生成される空気流れを案内する風ガイド部５が配置されている。
【００１９】
風ガイド部５は、合成樹脂からなり、ボス部３の周囲に、ボス部３側の外面１１から下方に向けて拡径された円錐形状となるように放射状に形成されている。
【００２０】
この風ガイド部５は、ボス部３と反対側の外径に、複数のブレード７がモータ軸の軸方向に向けて立設されており、モータ軸の回転により生成される空気流れを複数のブレード７側に向けて案内する。
【００２１】
複数のブレード７は、合成樹脂からなり、風ガイド部５のボス部３と反対側の外径に風ガイド部５と連続する一部材で、風ガイド部５の周方向等間隔にモータ軸の軸方向に向けて複数立設されている。
【００２２】
この複数のブレード７は、ケーシング（不図示）内に収容され、モータ軸の回転により上方からケーシングの内部に空気を引き込み、風ガイド部５によって案内される空気を下方からケーシングの外部に排出する。
【００２３】
このような複数のブレード７が設けられた風ガイド部５とモータ軸が結合されるボス部３とは、平面部１３を介して連続する一部材で形成されている。
【００２４】
平面部１３は、合成樹脂からなり、円盤状に形成され、内径側がボス部３と連続する一部材で形成されると共に、外径側が風ガイド部５と連続する一部材で形成されている。
【００２５】
この平面部１３は、ボス部３の外面９と風ガイド部５のボス部３側の外面１１とを面一となるように連結し、平面部１３とボス部３の外面９と風ガイド部５の外面１１とで１つの平面を構成する。
【００２６】
このような平面部１３の裏面である内面には、ボス部３と風ガイド部５とを連結するリブ１５が複数（ここでは４つ）設けられている。
【００２７】
複数のリブ１５は、合成樹脂からなり、平面部１３と連続する一部材で形成され、平面部１３の周方向等間隔にボス部３と風ガイド部５とを連結するように、ボス部３と風ガイド部５と連続する一部材で放射状に延びるように複数（ここでは４つ）形成されている。
【００２８】
このリブ１５は、ボス部３と風ガイド部５とを連結する平面部１３の剛性を高め、モータ軸の回転による平面部１３の回転安定性を向上している。
【００２９】
このようなリブ１５は、ボス部３と風ガイド部５と平面部１３と同等の肉厚となるように設定されている。
【００３０】
すなわち、ボス部３と風ガイド部５と平面部１３とリブ１５とは、それぞれの肉厚が均一となるように設定されており、モータ軸の回転による回転バランスの安定性が確実に保持されている。
【００３１】
このように構成されたシロッコファン１は、内部に各部位を形成させる空間部が形成された金型（不図示）に対して合成樹脂を射出することによって成型される射出成型によって成形される。
【００３２】
この樹脂成型において、合成樹脂を射出するゲート（不図示）は、平面部１３の隣り合うリブ１５，１５間に位置するゲート口２１に位置される。
【００３３】
このゲート口２１に位置するゲートから射出された合成樹脂は、金型の各部位を形成させる空間部に充填されるように、金型内を流動してシロッコファン１として成型される。
【００３４】
なお、ゲート口２１は、軸孔１７の上面にモータ軸にねじ締結されるナット１９が位置するので、ゲート口２１とナット１９との干渉を避けるために、ナット１９の外径側に位置されているが、ゲート口２１はボス部３の軸孔１７に近接するように位置させることが有効であり、ゲート口２１を設ける位置はナット１９の外径などに考慮して適宜設定すればよい。
【００３５】
このように樹脂成型されるシロッコファン１において、ボス部３の外面９と風ガイド部５のボス部３側の外面１１とは、平面部１３を介して面一に連結されているので、ボス部３の外面９が平面部１３から外方に向けて突出することがない。
【００３６】
このため、金型のボス部３を形成させる部分において、流動した樹脂が行き止まりとなる部分がなくなり、この部分にガス抜き穴を設ける必要がなく、金型を簡易化して樹脂を円滑に流動させることができる。
【００３７】
しかも、平面部１３の内面には、ボス部３と風ガイド部５とを連結するリブ１５が設けられているので、金型のボス部３の内面側（風ガイド部５内に位置する側）を形成させる部分においても、流動した樹脂が行き止まることがなく、樹脂を円滑に流動させることができる。
【００３８】
加えて、樹脂が射出されるゲート口２１は、隣り合うリブ１５，１５間に位置されているので、金型内で樹脂がリブ１５を形成させる部分に集中して流動することがなく、さらに樹脂を円滑に流動させることができる。
【００３９】
このようなシロッコファン１では、樹脂成型時に樹脂の流動性に偏りが発生することがなく、各部位の肉厚を均一化することができ、肉厚の不均一による樹脂冷却時における温度むらが抑制され、成形精度を高めて回転バランスの悪化を防止することができる。
【００４０】
従って、このようなシロッコファン１では、金型内の樹脂の流動及び冷却時間を均一化することができ、回転バランスを保持することができる。
【００４１】
また、隣り合うリブ１５，１５間には、樹脂成型時に樹脂が射出されるゲート口２１が配置されるので、金型内で樹脂がリブ１５を形成させる部分に集中して流動することがなく、さらに樹脂を円滑に流動させることができる。
【００４２】
なお、本発明の実施の形態に係るシロッコファンでは、複数のリブのうち隣り合うリブ間にゲート口が位置されているが、これに限らず、リブが位置する部分にゲート口を配置させてもよい。
【００４３】
また、複数のリブは、平面部の内面に４つ設けられているが、これに限らず、平面部の内面に４つ以上、或いは４つ以下のリブを設けてもよい。
【符号の説明】
【００４４】
１…シロッコファン
３…ボス部
５…風ガイド部
７…ブレード
９…ボス部の外面
１１…風ガイド部の外面
１３…平面部
１５…リブ
２１…ゲート口
【図１】
2017008880.tif 000003
【図２】
2017008880.tif 000004